(57)【要約】【課題】取り付けられるハンドルの角度を調整できる錠装置を提供すること。【解決手段】錠箱１から出没する錠片２は、戻しばね６で前方に付勢され、後端部には係受部１１が設けられている。回動可能なハブ３の係合部１２が係受部１１に係合する。錠箱１に取り付けられている調整基体８には、後半部に、後方が開口し厚さ方向に凹んだ取付凹部１６が設けられ、前面からこの取付凹部１６に貫通するねじ孔を設けてある。取付凹部１６に、中間体１０が前後方向に摺動可能に設けられ、ねじ孔に螺合した雄ねじである操作具９によって中間体１０が押されて調整基体８の後端から突出して、ハブ３の前面に当接するようになっている。【選択図】図３
2006125146.tif 000002
【特許請求の範囲】
【請求項１】
ハンドルを回動することによって、錠箱内のハブを回動させ錠片を後退させる錠装置において、錠箱には、錠箱の外から操作することができる操作具を設けると共に、操作具によって動かされハブと当接する中間体を設け、操作具を操作して、ハブと中間体との当接する位置を変更することによってハブの角度を変更して、ハンドルの角度を調整することができる錠装置。
【請求項２】
ハンドルを回動することによって、錠箱内のハブを回動させ錠片を後退させる錠装置において、錠箱には、錠箱の外から操作できハブと当接する操作具を設け、操作具を操作して、ハブと操作具との当接する位置を変更することによってハブの角度を変更して、ハンドルの角度を調整することができる錠装置。
【発明の詳細な説明】
【技術分野】
【０００１】
本発明は、ハンドルを回動操作して錠片を後退させる錠装置に関するものであって、取り付けられるハンドルの角度を調整することができるように改良したものである。
【背景技術】
【０００２】
従来より、ハンドルを回動操作して錠片を後退させる錠装置は、例えば特開２０００−２７５１６号発明の錠装置や、その他種々のものが市販されまた提案もされている。
【特許文献１】特開２０００−２７５１６号公報
【発明の開示】
【発明が解決しようとする課題】
【０００３】
上記従来例においては、部品を製作する際の誤差があったり、ドアへ取り付ける際に傾いたりした場合、ほんの少しの誤差や傾きであったとしても、水平なハンドルの場合に、水平ではなく下がった状態や上がった状態になり、外観上の体裁が悪くなり、商品価値を低下させてしまうという問題があり、本発明は、この問題を解決するために、取り付けられるハンドルの角度を変更して水平状態に調整できる錠装置を提供することを課題としている。また、水平でないハンドルの場合には、外観が体裁のよい角度あるいは好みの角度に、ハンドルの角度を変更して調整できる錠装置を提供することを課題としている。
【課題を解決するための手段】
【０００４】
本発明は、上記の課題を解決するための錠装置であり、請求項１の発明においては、ハンドルを回動することによって、錠箱内のハブを回動させ錠片を後退させる錠装置において、錠箱には、錠箱の外から操作することができる操作具を設けると共に、操作具によって動かされハブと当接する中間体を設け、操作具を操作して、ハブと中間体との当接する位置を変更することによってハブの角度を変更して、ハンドルの角度を調整することができるように構成したものであり、請求項２の発明においては、ハンドルを回動することによって、錠箱内のハブを回動させ錠片を後退させる錠装置において、錠箱には、錠箱の外から操作できハブと当接する操作具を設け、操作具を操作して、ハブと操作具との当接する位置を変更することによってハブの角度を変更して、ハンドルの角度を調整することができるように構成したものである。
【発明の効果】
【０００５】
以上のように本発明によれば、部品を製作する際の誤差があったり、ドアへ取り付ける際に傾いたりしても、錠装置に取り付けられるのが水平なハンドルの場合、錠箱の外から操作具を操作してハンドルを水平状態に調整することができるので、部品の製作に高い精度を必要とせずコストダウンが可能であるし、正確に水平状態にする取付時の手数が軽減されるという極めて実利的な効果がある。
また、水平でないハンドルの場合には、外観が体裁のよい角度あるいは好みの角度に、ハンドルの角度を変更して調整することができるという効果もある。
【実施例】
【０００６】
請求項１の発明の実施例を図面に基づいて説明する。錠箱１の前面には、中央に開口を設けてあるフロント裏板１９を設け、さらにその前面に、同じく中央に開口を設けてあるフロント板７を着脱可能に取り付けてある。錠箱１には、略中央に受壁２１を設け、この受壁２１の切り欠いた部分を通って錠片２が前後方向に摺動可能に取り付けられ、フロント裏板１９及びフロント板７の開口から出没できるようになっている。錠片２は、先端部の頭部と受壁２１との間に配設された戻しばね６で前方に付勢され、また後端部には係受部１１が設けられている。さらに、フロント裏板１９には、中央の開口の下部に操作用孔１４を設けてある。
【０００７】
また、錠箱１には、下方に、復帰ばね５で後方に付勢されている当接片４を前後方向に摺動可能に設けると共に、錠片２と当接片４の後方部にハブ３が回動可能に取り付けられている。このハブ３には、上端部に係合部１２を、下端部に当受部１５を設け、さらに回動中心に角孔１３を設けてある。この角孔１３には、ハンドル１７に固定された角芯１８が挿通され係合する。
【０００８】
ハブ３は、上端部の係合部１２が錠片２の係受部１１に係合し、下端部の当受部１５が当接片４に当接しており、当接片４を介して復帰ばね５の復元力でこのハブ３は図３における反時計回り方向に付勢されている。
【０００９】
そして、錠箱１には、錠片２と当接片４の間に調整基体８が取り付けられている。この調整基体８には、後半部に、後方が開口し厚さ方向に凹んだ取付凹部１６が設けられ、前面からこの取付凹部１６に貫通するねじ孔２０を設けてある。
【００１０】
取付凹部１６に、中間体１０を前後方向に摺動可能に設け、ねじ孔２０に雄ねじである操作具９を螺合して錠箱１の外から回動して操作することができるように成し、この操作具９の先端部が中間体１０を押して調整基体８の後端から突出させて、ハブ３の前面に当接させるようになっている。前述のように、ハブ３は、当接片４を介して復帰ばね５の復元力で図３における反時計回り方向に付勢されているので、この付勢されているハブ３が中間体１０に当接して、この中間体１０が復帰ばね５の復元力を受け止めることになる。
【００１１】
ハンドル１７を時計回り方向（本実施例の図面における方向であり以下同じ）に回動操作すると、角芯１８が角孔１３に係合しているので、ハブ３を時計回り方向に回動して、係合部１２が係受部１１を押圧し、錠片２は戻しばね６を縮めて後退すると共に、当受部１５が当接片４を押圧して復帰ばね５を縮めて前方へ移動させる。
ハンドル１７を放すと、戻しばね６の復元力で錠片２が前進して突出すると共に、復帰ばね５の復元力で当接片４を介して当受部１５が押されて、ハブ３が前記と逆に反時計回り方向に回動して復帰する。
【００１２】
そして、図６のように、ハンドル１７が水平状態から下がっている場合に、ハンドル１７を水平状態に調整する方法を説明する。
フロント板７を外してフロント裏板１９の操作用孔１４から工具を差し込み、操作具９を前方へ移動させると（本実施例では工具であるドライバーを差し込み、操作具である雄ねじを緩めて前方へ移動させる）と、中間体１０が前方、すなわち、調整基体８の中に引っ込む方向へ移動することが可能な状態となり、この中間体１０を押して前方へ移動させながら、ハブ３が、復帰ばね５の復元力で反時計回り方向に少し回動する。つまり、ハブ３は、中間体１０との当接する位置が変更されて、その角度が変更される。
【００１３】
すると、ハブ３の角孔１３に係合している角芯１８に固定されているハンドル１７も、反時計回り方向すなわち上方向に少し回動して角度が変更され、図７に示すようにこのハンドル１７を水平状態に調整することができる。
【００１４】
また、逆にハンドル１７が水平状態から上がっている場合に、ハンドル１７を水平状態に調整する方法を説明する。
操作具９を後方へ移動させる（本実施例では操作具である雄ねじを締めて後方へ移動させる）と、操作具９先端が中間体１０を押して後方、すなわち、調整基体８から突出する方向へ移動させ、この中間体１０によりハブ３が押されて、復帰ばね５の復元力に抗して時計回り方向に少し回動する。つまり前述と同様に、ハブ３は、中間体１０との当接する位置が変更されて、その角度が変更されることになる。
【００１５】
すると、ハブ３の角孔１３に係合している角芯１８に固定されているハンドル１７も、時計回り方向すなわち下方向に少し回動して角度が変更され、ハンドル１７を水平状態に調整することができる。
【００１６】
その調整範囲は、図４に示すように、中間体１０を取付凹部１６の中で最も前方に位置させ、ハブ３の角孔１３を最も上向きにした状態から、図５に示すように、中間体１０を取付凹部１６の中で最も後方に位置させ、ハブ３の角孔１３を最も下向きにした状態までである。
【００１７】
請求項２の発明の実施例は、前述の実施例において、中間体１０を介さずに操作具９の先端部がハブ３に直接当接するように構成すればよいもので図面は省略する。
【００１８】
なお、本発明は例えば下記のように種々の方法が考えられる。
操作具である雄ねじを、調整基体８に操作具である雄ねじを回動可能かつ摺動不能に取り付け、調整基体８に摺動可能かつ回動不能に取り付けた中間体１０に雄ねじを螺合し、この雄ねじを回動して中間体１０を進退させる方法や、操作具を錠箱に上下摺動可能に設けて、後面を傾斜面にして中間体の前面と当接させ、操作具を上下に摺動させて、接触している傾斜面によって中間体を前後に進退させる方法等が考えられる。
【図面の簡単な説明】
【００１９】
【図１】ハンドルをセットした状態の側面図である。
【図２】ハンドルを外した状態の斜視図である。
【図３】錠箱の蓋を外した状態の側面図である。
【図４】錠箱の蓋を外した状態の側面図で、ハブの角度を最も上げた状態を示す。
【図５】錠箱の蓋を外した状態の側面図で、ハブの角度を最も下げた状態を示す。
【図６】錠箱の蓋を外してハンドルを想像線で表した側面図で、ハブの角度が下がってハンドルが水平状態よりも下がっている状態を示す。
【図７】図６の状態からフロント板を外してハンドルを水平状態に調整した状態を示す側面図である。
【図８】ハンドルを水平状態に調整するための装置の全体斜視図である。
【図９】図８の分解斜視図である。
【符号の説明】
【００２０】
１    錠箱
２    錠片
３    ハブ
９    操作具
１０    中間体
１７    ハンドル
【図１】
2006125146.tif 000003
【図２】
2006125146.tif 000004
【図３】
2006125146.tif 000005
【図４】
2006125146.tif 000006
【図５】
2006125146.tif 000007
【図６】
2006125146.tif 000008
【図７】
2006125146.tif 000009
【図８】
2006125146.tif 000010
【図９】
2006125146.tif 000011